(57)【要約】【課題】洗浄槽２と扉体を水密にシールするシール部材のつなぎ目をなくすことで、シール性能を向上させる。【解決手段】洗浄槽２と上扉体４および下扉体５とで開口部３を水密にシールするシール部材１７を設け、開口部３の上部を水密にシールする上シール部と、開口部の側部を水密にシールする側方シール部とを一体で構成する。また、上扉体４に設けた開口部３側部の側方シール部を略水平方向に押圧する第１の押圧部１８と、開口部３上シール部を略垂直方向に押圧する第２の押圧部１９を滑らかに接続し、シール方向を徐変させる第３の押圧部２０を設ける。【選択図】図１
2011015767.tif 000002
【特許請求の範囲】
【請求項１】
洗浄水を噴射して被洗浄物を洗浄する食器洗い機であって、
食器洗い機本体内に設けられる洗浄槽と、
前記洗浄槽の開口部を開閉し、前記洗浄槽に設けられる回転軸を中心に前記開口部を上方及び下方へ回動して開く上扉体及び下扉体と、
前記上扉体および前記下扉体を連動する連動手段と、
前記洗浄槽と前記上扉体および前記下扉体とで挟むことにより前記開口部を水密にシールするシール部材と、を備え、
前記シール部材は、前記開口部の上部、両側部及びコーナー部を水密にシールする上シール部、側方シール部及び角シール部が一体で構成される食器洗い機。
【請求項２】
前記上扉体が閉塞している状態で、前記側方シール部を押圧する前記上扉体の第１の押圧部が食器洗い機後方を向く平面で形成され、前記上シール部を押圧する前記上扉体の第２の押圧部が略鉛直下向きの平面で形成され、
前記角シール部を押圧する前記上扉体の第３のシール部材が、ねじれ曲面で形成され、前記第１の押圧部と前記第２の押圧部とをつなげる請求項１記載の食器洗い機。
【請求項３】
シール部材は押し出し加工により製造されている請求項１又は２に記載の食器洗い機。
【発明の詳細な説明】
【技術分野】
【０００１】
本発明は洗浄水の噴射により食器等の洗浄を行う食器洗い機に関する。
【背景技術】
【０００２】
従来、この種の食器洗い機は、図６または７に示すように構成していた。以下、その構成について説明する。
【０００３】
図６に示すように、扉体１０１は、扉軸１０２を中心にして、食器洗い機本体１０３の下部に開閉自在に取り付け、食器洗い機本体１０３の前面開口部を覆うよう構成し、上部に扉体１０１を開閉する際につかむための把手部１０４と、スイッチ１０５により解除されるロック手段１０６とを設け、閉成状態で固定することができるよう構成している。
【０００４】
また、ロック手段１０６には、食器洗い機の運転動作の入力機能と連動し、扉体１０１が完全に閉成状態でない場合は運転しないよう構成し、運転途中に扉体１０１を開放された場合でも、洗浄水が食器洗い機の機外に噴出しないよう配慮されている。食器洗い機本体１０３は、内部に洗浄槽１０７を設けており、この洗浄槽１０７は、内部に食器かご１０８を配置している。
【０００５】
食器洗い機の基本的な動作は、一般的に良く知られているので、以下に簡単に述べると、使用者がスイッチ１０５によりロック手段１０６を解除し、その後、把手部１０４を持って扉体１０１を開放し、食器洗い機本体１０３内の洗浄槽１０７に設置された食器かご１０８に汚れた食器類をセットする。
【０００６】
つぎに、扉体１０１を閉め、ロック手段１０６を動作させて運転を開始すると、洗浄槽１０７の底部に配置されたヒータ１０９によって洗浄水を加熱しながら、洗浄ノズル１１０から食器類１１１に向かって噴射し、食器類１１０の汚れを落とす洗浄行程を行う。その後、食器類１１０をすすいだ後、乾かす乾燥行程を行って運転が終了する。
【０００７】
しかし、このような構成の食器洗い機においては、扉体１０１が開いた状態で食器洗い機前方のスペ−スをふさいでしまう為、流し台に横向きに設置することができず、又前向きに設置した場合は、開いた扉体１０１が通行の邪魔になる、更に流し台の汚れた食器を食器洗い機にセットする時に距離が離れるのでセットし難く床を汚し易いという問題を有していた。
【０００８】
上記課題を改善するための構成として、他の食器洗い機として、図７に記載されているものがある（例えば、特許文献１参照）。このものは、図７に示すように、食器洗い機本体１１２に設けた２個の扉体１１３、１１４を上下方向に各々回動して洗浄槽１１５の開口部１１６を開閉する構成であり、連動リンク１１７によって、扉体１１３、１１４は連結されている。このため、扉体１１４の手かけ部１１８を持って開放すれば、同時に他方の扉体１１３も開放するようになっている。このように、扉体を分割することで、図６に示される１枚扉の構成と比べて扉体を開放したときに食器洗い機前方をふさぐスペースを少なくすることができる。
【０００９】
ここで、図７に示される食器洗い機のシール構成について説明する。
【００１０】
洗浄槽１１５の開口部１１６側部には、下扉体１１４および上扉体１１３の側部と洗浄槽１１５側部を水密にシールする側部シール部材が取り付けられている。また、開口部１
１６上部には、上扉体１１３の上部と洗浄槽１１５上部を水密にシールする上部シール部材が取り付けられている。
【００１１】
下扉体１１４および上扉体１１３の側部には、それぞれ側部シール部材を押圧する押圧部が設けられている。また、上扉体の上部には上部シール部材を押圧する押圧部が設けられている。
【００１２】
下扉体は下固定枢軸１１９を中心に回動するため、閉塞状態において下扉体１１４側部押圧部は側部シール部材を略水平方向に押圧する。
【００１３】
扉体閉塞状態においては、下扉体１１４の側部押圧部および上扉体１１３の側部押圧部は略同一面となる。したがって、上扉体１１３の側部押圧部も側部シール部材を略水平方向に押圧する構成となっている。
【００１４】
上扉体１１３は、上固定枢軸１２０を中心に回動する。したがって、回動の軌跡上、上扉体１１３の上部押圧部は上部シール部材を略鉛直方向に押圧する構成となっている。
【００１５】
この食器洗い機も基本動作については、上述した食器洗い機と同様である。
【先行技術文献】
【特許文献】
【００１６】
【特許文献１】特開２００２−２７２６６２号公報
【発明の概要】
【発明が解決しようとする課題】
【００１７】
前述のように、図７に示されるような従来の構成では、洗浄槽の開口部上部と側部では、シール部材に対する上扉体の押圧部による押圧方向（シール方向）が異なるため、上部シール部材と側部シール部材は異なる部品を用いている。そのため、上部シール部材と側部シール部材の接合部でシール面が途切れるため、当該部から水や蒸気が漏れやすくなるという課題を有していた。
【００１８】
また、上扉体の上部押圧部と側部押圧部の接続部に段差が生じて滑らかでないような場合では、当該部のシールが弱くなり水や蒸気が漏れやすくなるという課題を有していた。
【００１９】
本発明は上記従来の課題を解決するもので、洗浄水を噴射して被洗浄物を洗浄する食器洗い機であって、食器洗い機本体内に設けられる洗浄槽と、洗浄槽の開口部を開閉し、洗浄槽に設けられる回転軸を中心に開口部を上方及び下方へ回動して開く上扉体及び下扉体と、上扉体および下扉体を連動する連動手段と、洗浄槽と上扉体および下扉体とで挟むことにより開口部を水密にシールするシール部材と、を備え、シール部材は、開口部の上部、両側部及びコーナー部を水密にシールする上シール部、側方シール部及び角シール部が一体で構成されることにより、シール性能を向上させることを目的としている。
【課題を解決するための手段】
【００２０】
本発明は上記目的を達成するために、洗浄水を噴射して被洗浄物を洗浄する食器洗い機であって、食器洗い機本体内に設けられる洗浄槽と、洗浄槽の開口部を開閉し、洗浄槽に設けられる回転軸を中心に開口部を上方及び下方へ回動して開く上扉体及び下扉体と、上扉体および下扉体を連動する連動手段と、洗浄槽と上扉体および下扉体とで挟むことにより開口部を水密にシールするシール部材と、を備え、シール部材は、開口部の上部、両側部及びコーナー部を水密にシールする上シール部、側方シール部及び角シール部が一体で構成されるもので、従来の食器洗い機のような洗浄槽の開口部の上部を水密にシールする
シール部材と、側部をシールするシール部との接合部をなくすことで、接合部からの水漏れや蒸気漏れを抑制し、シール性能を向上させることができる。
【発明の効果】
【００２１】
本発明の食器洗い機は、側部をシールするシール部材との接合部をなくすことで、接合部からの水漏れや蒸気漏れを抑制し、シール性能を向上させることができる。
【図面の簡単な説明】
【００２２】
【図１】本発明の実施の形態１の食器洗い機の扉の閉成状態の側壁部断面図
【図２】本発明の実施の形態１の食器洗い機の扉の開成状態の側壁部断面図
【図３】本発明の実施の形態１の食器洗い機の扉の閉成状態の横断面図
【図４】本発明の実施の形態１の食器洗い機の上扉体の回動の軌跡を示す断面図
【図５】（ａ）本発明の実施の形態１の食器洗い機の上扉体を洗浄槽側から見た斜視図（ｂ）図５（ａ）の二点鎖線内の拡大斜視図（ｃ）洗浄槽の上部の正面拡大図（ｄ）図５（ｃ）のＡ−Ａ断面図
【図６】従来例１の食器洗い機の側壁部断面図
【図７】従来例２の食器洗い機の側壁部断面図
【発明を実施するための形態】
【００２３】
第１の発明は、洗浄水を噴射して被洗浄物を洗浄する食器洗い機であって、食器洗い機本体内に設けられる洗浄槽と、洗浄槽の開口部を開閉し、洗浄槽に設けられる回転軸を中心に開口部を上方及び下方へ回動して開く上扉体及び下扉体と、上扉体および下扉体を連動する連動手段と、洗浄槽と上扉体および下扉体とで挟むことにより開口部を水密にシールするシール部材と、を備え、シール部材は、開口部の上部、両側部及びコーナー部を水密にシールする上シール部、側方シール部及び角シール部が一体で構成されることを特徴とした食器洗い機で、側部をシールするシール部材との接合部をなくすことで、接合部からの水漏れや蒸気漏れを抑制し、シール性能を向上させることができる。
【００２４】
第２の発明は、上記第１の発明において、上扉体が閉塞している状態で、側方シール部を押圧する上扉体の第１の押圧部が食器洗い機後方を向く平面で形成され、上シール部を押圧する上扉体の第２の押圧部が略鉛直下向きの平面で形成され、角シール部を押圧する上扉体の第３のシール部材が、ねじれ曲面で形成され、第１の押圧部と第２の押圧部とをつなげることで、水密性を向上させることができる。
【００２５】
第３の発明は、上記第１又は第２の発明において、シール部材は押し出し加工により製造されていることを特徴とするもので、従来の食器洗い機のようにシール部材を射出成型にて製造した場合に比べて安価な構成とすることができる。
【００２６】
以下、本発明の実施の形態について、図面を参照しながら説明する。
【００２７】
（実施の形態１）
図１および図２に示すように、食器洗い機本体１は内部に洗浄槽２を設け、この洗浄槽２の開口部３を上扉体（扉体）４と下扉体（扉体）５により開閉するよう構成している。上扉体４に上支持部材６を固定し、この上支持部材６を上固定枢軸７で基盤部材８に回転自在に軸支している。また、下扉体５に下支持部材９を固定し、この下支持部材９を下固定枢軸１０で基盤部材８に回転自在に軸支している。
【００２８】
また、上支持部材６と下支持部材９を連動する連動手段として、連動リンク１１を設けており、それぞれ上リンク枢軸１２、下リンク枢軸１３で上支持部材６と下支持部材９に軸支している。また、基盤部材８および、上支持部材６、下支持部材９は洗浄槽２の左右
両側に設けている。
【００２９】
下扉体５には押しボタンスイッチ１４と、下扉体５を閉塞状態に固定するロック手段１５を設け、押しボタンスイッチ１４と連動して、洗浄槽２に設けた係止部１６からロック手段１５を解除できるようにしている。また、ロック手段１５には、ロック手段検知装置（図示せず）が設けられており、ロック手段１５が係止部１６と係合しているか否かを検知できる。
【００３０】
このロック手段検知装置の検知状態と食器洗い機の運転動作の入力機能とを連動させ、下扉体５が完全に閉成していない場合、つまりロック手段検知装置がロック手段１５の係合状態を検知していない場合は、運転しないよう構成している。
【００３１】
また、洗浄槽２の開口部３には、下扉体５および上扉体４と洗浄槽２をシールするための、弾性を有するシール部材１７が取り付けられている。開口部３上部および開口部３側部をシールするためのシール部材１７は一体で継ぎ目なく構成されている。
【００３２】
また、下扉体５側部には、開口部３側部のシール部材１７の側部シール部を略水平方向に押圧する押圧部（図示せず）が設けられている。同様に、上扉体４側部には、開口部３側部の側部シール部を略水平方向に押圧する第１の押圧部１８が設けられている。第１の押圧部１８は、上扉体４が閉塞している状態で、食器洗い機本体１後方を向いている、略鉛直方向に長い矩形の平面であり、この平面がシール部材１７の側部シール部を押圧する。
【００３３】
また、上扉体４上部には、開口部３上部のシール部材１７の上部シール部を略垂直方向に押圧する第２の押圧部１９が設けられている。  第２の押圧部１９は、上扉体４が閉塞している状態で下方を向いている、食器洗い機本体１の幅方向に長い矩形の平面であり、この平面で略鉛直下向きにシール部材１７の上シール部を押圧する。
【００３４】
また、図５（ａ）〜（ｄ）に示すように、上扉体４の洗浄槽２側の上部コーナー部には第３の押圧部２０が設けられている。第３の押圧部２０は、前記第１の押圧部１８と前記第２の押圧部１９とを滑らかに接続し、シール部材１７のコーナー部、つまり、上シール部と側方シール部とを接続する角シール部を押圧する。また、第３の押圧部２０はねじれた曲面で構成され、第１の押圧部１８と第２の押圧部１９と段差無く連げる。ここで、上シール部、側方シール部及び角シール部は継ぎ目無く一体で構成されている。
【００３５】
また、連動リンク１１には、第１の保持部２１と第２の保持部２２を設けており、第１の保持部２１は基盤部材８と第１のスプリング２３（引っ張りコイルばね）で連結し、扉体の閉成状態では開放側に力を付加し、開成状態では閉塞方向に力を付加するよう構成している。また、第２の保持部２２は上支持部材６と第２のスプリング２４（引っ張りコイルばね）で連結し、上扉体４を常に開放する方向に力を付加する構成としている。第１のスプリング２３と第２のスプリング２４とで、上扉体４と下扉体５を連動して自動的に閉状態から開放状態まで開放する機構を構成している。
【００３６】
また、基盤部材８には、上支持部材６と摺動する摺動部材２５を軸支し、摺動部材２５は第３のスプリング２６によって、上支持部材６との摺動面に負荷を加えている。
【００３７】
また、上支持部材６は、樹脂からなり上扉体４の支持部とは別に、閉時当接部２７と開時当接部２８を設け、上扉体４の閉成状態と開放途中において、摺動部材２５と当接するよう構成している。また、第２のスプリング２４を保持するばね保持部２９を、上固定枢軸７と上リンク枢軸１２との間に設けている。
【００３８】
また、上リンク枢軸１２を保持する枢軸保持部３０は、上扉体４が閉成状態での上リンク枢軸１２の位置より少なくとも上方向に移動可能な略連動リンク１１方向の長穴形状とし、リンク機構のばらつきを吸収して確実に閉塞するよう構成している。
【００３９】
上記の構成において作用を説明すると、上扉体４と下扉体５はそれぞれ、上支持部材６、下支持部材９によって、上下に回動して開閉する構成であり、扉体閉塞状態から開放状態へと変化する際には、上固定枢軸７の回動によって、上扉体４は略水平状態もしくは略水平状態から上扉体の上端部が下端部よりわずかに多角なる状態になるまで上方に回動し、下固定枢軸１０の回動によって下扉体５も略水平状態になるまで下方に回動する。
【００４０】
前述のように、下扉体５は下固定枢軸１０を中心に回動するため、閉塞状態において下扉体５側部のシール部材１７押圧部は、シール部材１７の側方シール部を略水平方向に押圧する。
【００４１】
扉体閉塞状態においては、下扉体５側部の押圧部および上扉体４側部の押圧部（第１の押圧部１８）は略同一面となる。したがって、上扉体４の第１の押圧部１８も下扉体５側部の押圧部同様シール部材１７の側方シール部を略水平方向に押圧する構成となっている。
【００４２】
また、上扉体４は上固定枢軸７を中心に回動する。したがって、上扉体４の開放状態から閉塞状態の回動の軌跡は、図４（ａ）→図４（ｂ）→図４（ｃ）の順に示すようになる。つまり、回動の軌跡の関係で、上扉体４の上部押圧部（第２の押圧部１９）はシール部材１７を略鉛直下方向に押圧することとなる。つまり、上扉体４の第１の押圧部１８と第２の押圧部１９とではシール部材１７を押圧する方向（シール方向）が異なる。つまり、上扉体４が閉塞している状態で、第１の押圧部はシール部材１７の上シール部を略鉛直下向きに押圧する一方、第２の押圧部はシール部材１７の側方シール部を水平方向で食器洗い機本体後方の方向に押圧する。
【００４３】
そこで、本実施の形態では、第１の押圧部１８と第２の押圧部１９を滑らかに接続する第３のシール面２０を設けている。図５（ａ）は、上扉体４を洗浄槽２側から見た斜視図である。同図に示されるように、第３のシール面２０はねじれた曲面で構成されており、シール部材１７の押圧方向を徐変させる役割を果たしている。つまり、上扉体４が閉塞している状態で、略鉛直下方向を向く平面である第１の押圧部と、水平方向で食器洗い機本体後方を向く平面である第２の押圧部とを、ねじれ曲面で構成されている第３のシール部で連結することにより、上シール部、側方シール部及び角シール部とを一体で構成したシール部材１７と上扉体４との水密性を向上させることができる。
【００４４】
このような構成とすることで、第１の押圧部１８と第２の押圧部１９の接続を段差なく構成することができるため、当該部のシールが弱くなり水漏れや蒸気漏れを引き起こすのを防ぐことができる。
【００４５】
また、開口部１５の上部をシールする上シール部と側部をシールする側方シール部材は一体で構成されおり、当該部位にシール部材同士の接続部が存在しないため、シールが弱くなるのを防ぐことができる。
【００４６】
さらに、シール部材１７は、第１、第２及び第３の押圧部１８、１９、２０により異なる方向から押圧されるが、シール部材１７が押圧される部分は断面略円形の略円柱状に形成されているので、押圧される方向が変わっても、水密性を確保することができる。
【００４７】
また、上記シール部材１７を押し出し加工にて製造することで、直圧方式で製造される場合に比べてシール部材にかかるコストを抑制できるため、より安価な食器洗い機を提供することができる。
【００４８】
なお、押し出し加工にて製造されたシール部材１７を洗浄槽の開口部に取り付ける際には、開口部３の上コーナー部でシール部材が潰れて変形しシールが甘くなってしまうのを防ぐために、コーナー部引き回し半径を大きめに設定すると良い（例えばＲ８０程度）。
【００４９】
次に、扉体開放時の動作について説明する。第１のスプリング２３と第２のスプリング２４とで開放側に付勢された連動リンク１１によって、下扉体５に設けた押しボタンスイッチ１４を作動することで、ロック手段１５が解除され、上扉体４と下扉体５が連動して回動するため、使用者は、扉体をつかみ開放操作をする必要がなく、上扉体４と下扉体５は閉塞状態から開放状態まで自動的に開放することができる。
【００５０】
また、第１のスプリング２３によって、扉体の開放動作途中に閉塞方向に力が付勢されることで、扉体が開放する際の衝撃力を緩和することができる。
【００５１】
また、上支持部材６に設けた閉時当接部２７が、第３のスプリング２６に付勢された摺動部材２５によって閉塞側に力を負荷することで、扉体の開放速度を遅らせ、使用者が運転途中に押しボタンスイッチ１４を動作させた場合でも、解放直後の上扉体４と下扉体５の開放速度を弱めることができ、ロック手段１５の解除と同時に噴射された洗浄水が、食器洗い機本体１の機外に噴出されるのを防止することができる。
【００５２】
また、開時当接部２８と、第３のスプリング２６に付勢された摺動部材２５とで生じる摩擦力によって、扉体の開放速度を減速させ、開放する際の衝撃力を緩和すると伴に、下扉体４の衝撃によるリバウンドを防止することができる。
【００５３】
また、摺動部材２５は、上支持部材６および下支持部材９を設置した基盤部材８に設置することで、それぞれの設置位置の誤差が加工誤差のみとなり、上扉体４と下扉体５の開放速度および開放時の衝撃力のばらつきを極めて小さくできる等、組立後の扉体の動作を安定させることができる。
【００５４】
また、上扉体４の閉成状態近傍では、第２のスプリング２４によって、上固定枢軸７とバネ保持部２９とに上扉体４を閉方向に作用させるモーメント力が生じることにより、上リンク枢軸１２の位置は長穴形状である枢軸保持部３０において上扉体４を常に閉塞方向に位置させることが可能となっている。この構成により、リンク構成の寸法ばらつきによる上扉体４と下扉体５の連動不良はなくすことができ、上扉体４と下扉体５の開閉操作をスムーズに行うとともに、安定したシール性を確保することができる。
【産業上の利用可能性】
【００５５】
以上のように、本発明に係る食器洗い機は、水密性を向上させることができるので、卓上型・ビルトイン型の食器洗い機等の用途に適用することができる。
【符号の説明】
【００５６】
１  食器洗い機本体
２  洗浄槽
３  開口部
４  上扉体
５  下扉体
１７  シール部材
１８  第１の押圧部（上扉体側部）
１９  第２の押圧部（上扉体上部）
２０  第３の押圧部（上扉体の上コーナー部）
【図１】
2011015767.tif 000003
【図２】
2011015767.tif 000004
【図３】
2011015767.tif 000005
【図４】
2011015767.tif 000006
【図５】
2011015767.tif 000007
【図６】
2011015767.tif 000008
【図７】
2011015767.tif 000009